(57)【特許請求の範囲】
【請求項１】
上框、下框、および左右の縦框が枠組みされた框体と、
前記框体の開口部に張設された剛性を有する金属製の網材と、
前記網材を前記框体に固定するための金属製の網固定部材と、を有し、
前記網材の網目は０．７ｍｍ乃至１０．０ｍｍの範囲内であり、
前記網材は端部を折り曲げることにより形成された折曲部を有し、
前記網材は、前記折曲部により前記網固定部材に掛止され、前記網固定部材とともに前記框体に固定されていることを特徴とする網戸。
【請求項２】
前記網材および前記網固定部材は前記框体に金属製のねじで固定されていることを特徴とする請求項１に記載の網戸。
【請求項３】
前記網固定部材は第一の挟持部材を有し、
前記網材は、前記第一の挟持部材が前記折曲部の内角側に配設されることにより前記第一の挟持部材に掛止され、
前記折曲部は前記第一の挟持部材と前記框体との間に挟持されていることを特徴とする請求項１または請求項２に記載の網戸。
【請求項４】
前記網固定部材は第二の挟持部材をさらに有し、
前記第二の挟持部材は前記折曲部の外角側と前記框体との間に配設され、
前記折曲部は前記第一の挟持部材と前記第二の挟持部材とに挟持されていることを特徴とする請求項３に記載の網戸。
【請求項５】
前記第一の挟持部材の短手方向断面は矩形状であり、
前記第二の挟持部材の短手方向断面は略Ｌ字状であることを特徴とする請求項４に記載の網戸。
【請求項６】
前記第一の挟持部材および前記第二の挟持部材は矩形状の枠体であり、
前記網材は、前記網材の全周に形成された前記折曲部が、前記第一の挟持部材と前記第二の挟持部材とに挟持されていることを特徴とする請求項４または請求項５に記載の網戸。
【請求項７】
前記網材、前記第一の挟持部材、および前記第二の挟持部材は、同種の鋼またはステンレス鋼からなることを特徴とする請求項４から請求項６のいずれか一項に記載の網戸。
【請求項８】
前記折曲部の内角は８５度以上９０度未満であることを特徴とする請求項１から請求項７のいずれか一項に記載の網戸。
【請求項９】
上枠、下枠、および左右の縦枠が枠組みされた窓枠と、
前記窓枠内に支持された障子および請求項１から請求項８のいずれか一項に記載の網戸と、を有し、
前記窓枠は、室内側に配設される第一の窓枠と、室外側に配設される第二の窓枠と、が連結されてなり、
前記第二の窓枠の下枠は短手方向断面が矩形状の中空構造となっており、
前記第二の窓枠の下枠の室内側の側面は前記第一の窓枠の下枠の室外側の側面と接触していることを特徴とする建具。
【請求項１０】
前記網戸は前記第二の窓枠に支持されることを特徴とする請求項９に記載の建具。
【発明の詳細な説明】
【技術分野】
【０００１】
本発明は網戸および建具に関し、さらに詳しくは、剛性を有する金属製の網材を用いることにより防犯性を高めた網戸、および該網戸を備えた建具に関する。
【背景技術】
【０００２】
一般に住宅等に設置される窓には、室内と室外とを遮断するガラス戸と、虫等の侵入を防ぎつつ外気を室内に流通させる網戸とが備えられている。ガラス戸にはクレセント錠などの施錠機構が設けられ、ガラス戸を閉じた状態で施錠することにより窓から不審者等が侵入することを防ぐ構造となっている。
【０００３】
網戸への網材の固定方法としては、網戸の枠体に形成された溝部に、網材の端部をゴム製のストッパーとともに圧入固定する方法が一般的である。下記特許文献１には、メッシュの細かい網材を固定するための合成樹脂からなる押さえ部材が開示されている。
【０００４】
ガラス戸解放時における防犯性が考慮された網戸としては、例えば下記特許文献２に開示されているように、金属製の網材が用いられた網戸や、錠が設けられた網戸が知られている。
【先行技術文献】
【特許文献】
【０００５】
【特許文献１】特開２００９−０４６９４１号公報
【特許文献２】特開２０１０−０５３６４６号公報
【発明の概要】
【発明が解決しようとする課題】
【０００６】
しかし、特許文献２のような網戸においても、不審者等の侵入を阻止しているのは実質的に網戸の枠体に設けられた縦桟や横桟などの格子である。つまりこれは網材が張設された格子障子ともいえる。このような網材が張設された格子障子は一般的な網戸と比べ通風性および眺望性に劣る。
【０００７】
また一般に、格子障子に設けられた格子は人の手が入る程度の間隔を有することが多く、施錠が可能な格子障子であっても格子の隙間から手を回して開錠されてしまうおそれがある。そのため、外から手や工具の届きにくい位置に格子障子の錠を設けたり、特許文献２のように開錠方法を複雑にしたりするなど、特殊な施錠機構が必要となる。一方で格子障子の格子の間隔を人の手や指が入らない程度に詰めた場合、単位面積あたりの開口率が著しく低下してしまい、通風性および眺望性との両立が困難となる。また、いずれの格子障子についても、小さな虫の侵入を防ぐためには別途網材を張設する必要がある。
【０００８】
また、不審者などの侵入を阻止し得る強度を有する網材を用いた場合でも、その網材の框体への固定方法が例えば特許文献１のような合成樹脂部材による場合、網材よりも固定部材の方が脆弱となり、網材が破られなかったとしても框体から網材が強引に外されてしまうおそれがある。
【０００９】
上記問題に鑑み、本発明が解決しようとする課題は、剛性を有する金属製の網材を框体に強固に固定し、別途格子を設けなくても不審者の侵入等を阻止することができる網戸および該網戸を備えた建具を提供することにある。
【課題を解決するための手段】
【００１０】
上記課題を解決するため、本発明の網戸は、上框、下框、および左右の縦框が枠組みされた框体と、前記框体の開口部に張設された剛性を有する金属製の網材と、前記網材を前記框体に固定するための金属製の網固定部材と、を有し、前記網材の網目は０．７ｍｍ乃至１０．０ｍｍの範囲内であり、前記網材は端部を折り曲げることにより形成された折曲部を有し、前記網材は、前記折曲部により前記網固定部材に掛止され、前記網固定部材とともに前記框体に固定されていることを要旨とする。
【００１１】
剛性を有する金属製の網材の端部が折り曲げられ、同じく金属製の網固定部材にその折り曲げられた部分が係合していることにより、網材自体の剛性が框体への網材の固定力に上乗せされ、網材がより強固に框体に固定される。さらに網固定部材も金属製であることにより、網固定部材が強度上の欠陥となることも防止される。
【００１２】
また、前記網材および前記網固定部材は前記框体に金属製のねじで固定される構成とすることが望ましい。
【００１３】
上記構成とすることにより、網固定部材と框体との固定部が強度上の欠陥となることが防止される。
【００１４】
また、前記網固定部材は第一の挟持部材を有し、前記網材は、前記第一の挟持部材が前記折曲部の内角側に配設されることにより前記第一の挟持部材に掛止され、前記折曲部は前記第一の挟持部材と前記框体との間に挟持されている構成としても良い。
【００１５】
上記構成とすることにより、網材が框体に安定して固定されるとともに、第一の挟持部材が配設された網材の面の反対側の面から力が加えられた場合に、網材の剛性を効果的に網材の固定力に転換することが可能となる。
【００１６】
また、前記網固定部材は第二の挟持部材をさらに有し、前記第二の挟持部材は前記折曲部の外角側と前記框体との間に配設され、前記折曲部は前記第一の挟持部材と前記第二の挟持部材とに挟持されている構成としても良い。
【００１７】
上記構成とすることにより、例えば第一の挟持部材よりも框体の強度が劣る場合や、網材と框体に用いられている金属の種類が異なる場合に、第一の挟持部材や網材と同じ金属材からなる第二の挟持部材を用いるなど、網材を挟持する上での強度上の脆弱性を柔軟に回避することが可能となる。
【００１８】
また、前記第一の挟持部材の短手方向断面は矩形状であり、前記第二の挟持部材の短手方向断面は略Ｌ字状であることが望ましい。
【００１９】
上記構成とすることにより、第一および第二の挟持部材が網材を点や線ではなく面で挟持することができとともに、第一および第二の挟持部材の框体への固定も容易となり、これらを連結するねじ等の連結部材の隠蔽性も向上する。
【００２０】
また、前記第一の挟持部材および前記第二の挟持部材は矩形状の枠体であり、前記網材は、前記網材の全周に形成された前記折曲部が、前記第一の挟持部材と前記第二の挟持部材とに挟持されていることが望ましい。
【００２１】
上記構成とすることにより、網材の全周が第一および第二の挟持部材に挟持され、網固定部材による網材の掛止力、固定力が最大化されるためである。
【００２２】
また、前記網材、前記第一の挟持部材、および前記第二の挟持部材は、同種の鋼またはステンレス鋼からなることが望ましい。
【００２３】
網材の挟持部材が強度上の欠陥となることを防止するとともに、異種金属接触腐食を防止するためである。
【００２４】
また、前記折曲部の内角は８５度以上９０度未満としても良い。
【００２５】
上記構成とすることにより、折曲部に板バネとしての機能が生じ、外部からの衝撃に対する網材の緩衝性や復元力が向上するためである。
【００２６】
また、上記課題を解決するため、本発明の建具は、上枠、下枠、および左右の縦枠が枠組みされた窓枠と、前記窓枠内に支持された障子および前記網戸と、を有し、
前記窓枠は、室内側に配設される第一の窓枠と、室外側に配設される第二の窓枠と、が連結されてなり、前記第二の窓枠の下枠は短手方向断面が矩形状の中空構造となっており、前記第二の窓枠の下枠の室内側の側面は前記第一の窓枠の下枠の室外側の側面と接触していることを要旨とする。
【００２７】
第二の窓枠が第一の窓枠の側面に接触していることにより、第二の窓枠にかかる荷重が第一の窓枠側にも分散されるため、第二の窓枠が支持可能な重量を大きくすることができる。これは腰高窓など、地面を利用して荷重を支持することができない窓枠において特に有効である。
【００２８】
また、前記網戸は前記第二の窓枠に支持される構成としても良い。
【００２９】
金属材が多く用いられ通常の網戸よりも重量の大きな網戸であっても、本発明の第二の窓枠であれば支持可能である。また、広く一般に流通している引き違いサッシ窓に本発明における第二の窓枠を増設することにより、短期間かつ低コストで安定した品質の建具を提供することが可能となる。
【発明の効果】
【００３０】
本発明にかかる網戸および建具によれば、別途格子を設けなくても不審者の侵入等を阻止することができる網戸および該網戸を備えた建具を提供することができる。
【図面の簡単な説明】
【００３１】
【図１】本実施形態におけるサッシ窓を室内側から見た外観図である。
【図２】本実施形態における網戸の横方向断面図である。
【図３】本実施形態における網戸の縦方向断面図である。
【図４】本実施形態における金網の折曲部の部分拡大図である。
【図５】本実施形態におけるサッシ窓の横方向断面図である。
【図６】本実施形態におけるサッシ窓の縦方向断面図である。
【図７】網戸を室外側に配置したサッシ窓を室内側から見た外観図である。
【図８】網戸を室外側に配置したサッシ窓の縦方向断面図である。
【発明を実施するための形態】
【００３２】
以下、本発明の実施形態について図面を用いて詳細に説明する。尚、以下の説明における障子や網戸の「戸先」とは、障子や網戸を閉位置に置いたときに窓枠の縦枠に当接する側をいい、「戸尻」とはその反対側をいう。
【００３３】
図１は本実施形態におけるサッシ窓１を室内側から見た外観図である。サッシ窓１は住宅等の壁開口部に設置される建具であり、上枠４１、下枠４２、および左右の縦枠４３が枠組みされたアルミ製の窓枠４と、下枠４２に形成された三本のレールに摺動可能に支持された二枚の障子３１、３２および網戸２と、を備えた引き違い窓である。尚、窓枠４に用いられる金属材はアルミに限られず、ステンレス等、他の金属材を用いることもできる。
【００３４】
窓枠４の三本のレールのうち、室内側のレールには二枚の障子のうちの一方である内障子３１が支持され、室外側のレールには他方の障子である外障子３２が支持されている。網戸２はこれら内障子３１および外障子３２の間のレールに支持されている。
【００３５】
内障子３１および外障子３２はそれぞれ、上框３１１、３２１、下框３１２、３２２、戸尻框３１３、３２３、および戸先框３１４、３２４が枠組みされたアルミ製の框体にガラスが装着されたガラス戸である。
【００３６】
網戸２は上框２１、下框２２、戸尻框２３、および戸先框２４が枠組みされた框体に、剛性を有するステンレス製の網材である金網６が張設されたものである。本実施形態における金網６は、線径０．８ｍｍのＳＵＳ３１６の線材を網目の目合いが１．５ｍｍとなるよう平織りしたものである。金網の強度を重視する場合は本実施形態における金網６を用いることが好適であるが、必要とされる防犯性能や許容されるコストに応じてＳＵＳ３０４等、他のステンレス鋼や、スチール、チタン、アルミ、銅、真鍮、インコネル（登録商標）、ハステロイ（登録商標）、など他の金属材を用いることもできる。
【００３７】
金網６に剛性を持たせつつ通風性や眺望性との両立を図るためには、金網６の線径は０．６ｍｍ乃至１．２ｍｍの範囲内とすることが好ましい。金網６の網目は、人の手や指が挿し入れられない目合いとする必要があるため１０．０ｍｍ以下とすることが望ましい。一方、例えば高度な防虫性能が要求される場合など、網目を可能な限り小さくする必要がある場合における目合いは、前述の線径の範囲や通風性および眺望性との両立を考慮すると、０．７ｍｍ以上とすることが現実的である。
【００３８】
内障子３１の戸尻框３１３にはクレセント錠５１１が設けられており、網戸２の戸尻框２３にはその錠受け５１２が設けられている。クレセント錠５１１と錠受け５１２とが施錠されることにより、内障子３１と網戸２は框体全体が見付方向に重なった状態で連結される。
【００３９】
網戸２の錠受け５１２の下にはさらに、内障子３１のクレセント錠５１１の可動域と干渉しない程度の間隔を空けてクレセント錠５２１が設けられており、外障子３２の戸尻框３２３にはその錠受け５２２が設けられている。クレセント錠５２１と錠受け５２２とが施錠されることにより、網戸２と外障子３２とが召合せ部である戸尻框２３、３２３が窓枠４の開口部中心において見付方向に重なった状態で互いに摺動不能に固定される。
【００４０】
本実施形態においてはクレセント錠が用いられているが、施錠機構はクレセント錠に限られず、いわゆる戸先鎌錠、シリンダー錠、押し込み方式の嵌合片、いわゆるファスナーロック等の補助錠などでも良く、またはこれらの組み合わせでも良い。要は内障子３１と外障子３２の両方を閉塞した状態で内障子３１および外障子３２を摺動不能に固定することができ、また、網戸２と外障子３２を閉塞し内障子３１を開放した状態で網戸２および外障子３２を摺動不能に固定できればよく、施錠方法が手動によるものか自動によるものかも問わない。
【００４１】
図２は網戸２の横方向断面図、図３は網戸２の縦方向断面図、図４は金網６の折曲部６１の部分拡大図である。金網６は網戸２の厚み方向において見付方向室外側の開口部を塞ぐよう張設されている。窓枠２の框体は断面矩形状の中空部材からなる。戸尻框２３の室内側および室外側の側面には煙返し６５が設けられており、煙返し６５が内障子３１および外障子３２の対応する煙返しと係合することにより気密性および防犯性が高められている。本実施形態における網戸２の框体はアルミ製であるが、ステンレス等、他の金属材を用いても良い。
【００４２】
図４（ａ）に示されるように、金網６は端部が折り曲げられることにより形成された折曲部６１を有している。折曲部６１の内角側には短手方向の断面が矩形状の第一の挟持部材６２が配設されることにより金網６は第一の挟持部材６２に掛止され、折曲部６１の外角側には短手方向の断面が略Ｌ字状の第二の挟持部材６３が折曲部６１の外角側を覆うように配設されることにより、折曲部６１はその全面がこれら第一の挟持部材６２および第二の挟持部材６３により挟持されている。尚、本実施形態における網固定部材６０は、第一の挟持部材６２と第二の挟持部材６３とで構成されている。
【００４３】
折曲部６１は金網６の全周に渡って形成されており、図２および図３にその一部が示されるように、第一の挟持部材６２および第二の挟持部材６３も矩形状の枠体となっている。かかる構成により、金網６の全周に形成された折曲部６１が第一の挟持部材６２および第二の挟持部材６３に挟持され、網固定部材６０による金網６の掛止力、固定力が最大化されている。
【００４４】
第一の挟持部材６２および第二の挟持部材６３は金網６と同じ種類の金属材であるＳＵＳ３０４からなる。これにより、網固定部材６０が強度上の欠陥となることが防止され、また金網６、第一の挟持部材６２、および第二の挟持部材６３間における異種金属接触腐食も低減されている。折曲部６１、および、折曲部６１を挟持する第一の挟持部材６２および第二の挟持部材６３は、ＳＵＳ３０４製のＴＲＸねじ６４により網戸２の框体に固定されている。本実施形態においては、専用工具がなければ取り外しができないようにＴＲＸねじが用いられている。
【００４５】
図４（ｂ）は、網材６および網固定部材６０の框体への固定構造についての一例を示す図である。図４（ｂ）の框体は、網材６が嵌合される溝部の側壁部に曲げ加工が施されることにより側壁部の強度が高められている。室外側からＴＲＸねじ６４で固定された網材６および網固定部材６０はかかる溝部に収納され、溝部に収納された網材６および網固定部材６０は框体の外周面からＴＲＸねじ６４で框体に固定されている。これにより外部からねじ頭が見えにくい構造となっている。
【００４６】
本実施形態における折曲部６１は内角が９０度となるように折り曲げられている。図４（ｃ）に示されるように、折曲部６１の内角を９０度よりもやや小さく（８５度以上９０度未満に）形成し、金網６に形成されたＴＲＸねじ６４の貫通孔にも僅かに遊びをもたせることにより、折曲部６１を板バネとして作用させることができる。かかる構造により、外部から網材６に加えられた衝撃に対する緩衝性や復元力を向上させることも可能である。
【００４７】
本実施形態においては、網戸２の框体がアルミ製であることと、網固定部材６０を網戸２の框体に固定するＴＲＸねじ６４の固定方向が一方向のみであることから、第二の挟持部材６３を金網６と框体の間に配設することで金網６の把持力が担保されているが、網戸２の框体に用いる金属材の強度やねじの固定方向によっては、第二の挟持部材６３の使用を省略することも可能である。
【００４８】
折曲部６１の内角側に第一の挟持部材６２が配設され、金網６が第一の挟持部材６２に掛止されていることにより、室外側から金網６に加えられる力に対して、金網６自体の剛性が金網６の固定力に転換され、金網６を框体から強引に外すことが困難となっている。金網６が上記効果を発揮するためには少なくとも、金網６に外力が加えられても折曲部６１の基本的な形状が維持される程度の剛性を備えた線材が用いられている必要がある。
【００４９】
図５はサッシ窓１の横方向断面図、図６はサッシ窓１の縦方向断面図である。サッシ窓１の窓枠４は、二本のレールを有する窓枠である第一の窓枠４ａが室内側に配設され、一本のレールを有する第二の窓枠４ｂが室外側に配設され、これら第一の窓枠４ａと第二の窓枠４ｂとがねじにより連結された構造となっている。本実施形態におけるサッシ窓１は腰高窓であり、第一の窓枠４ａは住宅等の外壁に支持されているが、第二の窓枠４ｂは外壁よりも外側に位置しており外壁には支持されていない。尚、本実施形態における内障子３１および外障子３２のガラスには、二枚のガラスが樹脂からなる中間膜で接着された合わせガラスを複層構造としたものが用いられており、内障子３１および外障子３２がサッシ窓１における防犯上の脆弱性となることが防止されている。
【００５０】
図６に示されるように、第二の窓枠４ｂの下枠４１ｂは短手方向断面が矩形状の中空構造となっている。下枠４１ｂの室内側の側面は第一の窓枠４ａの下枠４１ａの室外側の側面と接触している。かかる構造により第二の窓枠４ｂにかかる荷重が第一の窓枠４ａ側にも分散されることで、第二の窓枠４ｂは障子３２の荷重を支持することが可能となっている。
【００５１】
本実施形態における第二の窓枠４ｂの下枠４１ｂの室内側の側面は、第一の窓枠４ａの下枠４１ａの網戸レールを迂回しつつ下枠４１ａの側面に接触しているため図６視段状に形成されているが、下枠４１ａの網戸レールを切除し、下枠４１ｂの室内側の側面全面を下枠４１ａの側面に接触させる構造としても良い。
【００５２】
図７、図８は、網戸２を室外側のレールで、外障子３２を中央のレールで支持したサッシ窓１を示す図である。本発明における網戸２は金属材が多く用いられ通常の網戸よりも重量が大きいが、第二の窓枠４ｂが上記構造であることにより支持することが可能となっている。この場合、一般的なクレセント錠では網戸２と外障子３２を閉塞した状態でこれらを摺動不能に施錠することが困難であるため、網戸２、内障子３１、および外障子３２すべての戸先框には鎌錠が設けられている。
【００５３】
以上、本発明の実施の形態について詳細に説明したが、本発明は上記実施の形態に何ら限定されるものではなく、本発明の要旨を逸脱しない範囲で種々の改変が可能である。
【符号の説明】
【００５４】
１  サッシ窓
２  網戸
２１  上框
２２  下框
２３  戸尻框
２４  戸先框
３１  内障子
３１１  内障子３１の上框
３１２  内障子３１の下框
３１３  内障子３１の戸尻框
３１４  内障子３１の戸先框
３２  外障子
３２１  外障子３２の上框
３２２  外障子３２の下框
３２３  外障子３２の戸尻框
３２４  外障子３２の戸先框
４  窓枠
４ａ  第一の窓枠
４１ａ  第一の窓枠４ａの下枠
４ｂ  第二の窓枠
４１ｂ  第二の窓枠４ｂの下枠
４１  窓枠４の上枠
４２  窓枠４の下枠
４３  窓枠４の左右の縦枠
５１１、５２１  クレセント錠
５１２、５２２  錠受け
６  金網
６０  網固定部材
６１  折曲部
６２  第一の挟持部材
６３  第二の挟持部材
６５  煙返し
【図１】
0006051181.tif 000002
【図２】
0006051181.tif 000003
【図３】
0006051181.tif 000004
【図４】
0006051181.tif 000005
【図５】
0006051181.tif 000006
【図６】
0006051181.tif 000007
【図７】
0006051181.tif 000008
【図８】
0006051181.tif 000009